【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
第１面、前記第１面と向い合う第２面、前記第２面上に形成され、少なくとも二つの尾根及び前記尾根と近接して形成された溝を有する光拡散部を含む光拡散部材と、
前記各尾根と向い合うように配置された光源と、を含み、
前記各光源の中心と前記光源と対応する前記尾根との間の間隔は、前記光源間の距離の０．２倍〜０．５５倍であることを特徴とするバックライトアセンブリ。
【請求項２】
前記第１面から前記各尾根までの第１厚さは、前記第１面から前記各溝までの第２厚さの１．１５〜１．３５倍であることを特徴とする請求項１記載のバックライトアセンブリ。
【請求項３】
前記第１面から前記各尾根までの第１厚さは、前記第１面から前記各溝までの第２厚さの１．３５〜１．５５倍であることを特徴とする請求項１記載のバックライトアセンブリ。
【請求項４】
前記第１面から前記各尾根までの第１厚さは、前記第１面から前記各尾根までの第２厚さの１．５５〜１．６７倍であることを特徴とする請求項１記載のバックライトアセンブリ。
【請求項５】
前記第１面から前記各尾根までの第１厚さは、前記第１面から前記各尾根までの第２厚さの１．６７〜１．７５倍であることを特徴とする請求項１記載のバックライトアセンブリ。
【請求項６】
前記第１面から前記各尾根までの第１厚さは、前記第１面から前記各溝までの第２厚さの１．６７倍であることを特徴とする請求項１記載のバックライトアセンブリ。
【請求項７】
光拡散部材の第１部分は前記尾根が形成された部分であり、前記第２部分は前記溝が形成された部分であり、前記第１厚さは前記光拡散部材の最小厚さであり、前記第２厚さは前記光拡散部材の最大厚さであると定義するとき、前記光拡散部材の前記第１部分の前記第１厚さは、前記光拡散部材の前記第２部分の前記第２厚さの１．１５倍〜１．７５倍であることを特徴とする請求項１記載のバックライトアセンブリ。
【請求項８】
前記第１面から前記各溝までの第２厚さは、１．５ｍｍ〜２．０ｍｍであることを特徴とする請求項１記載のバックライトアセンブリ。
【請求項９】
前記尾根は、半円シリンダー形状を有することを特徴とする請求項１記載のバックライトアセンブリ。
【請求項１０】
前記光拡散部材は、ポリメチルメタクリレートからなることを特徴とする請求項１記載のバックライトアセンブリ。
【請求項１１】
前記光拡散部材は、前記収納容器に装着された状態において、装着位置をガイドするガイド溝を更に含むことを特徴とする請求項９記載のバックライトアセンブリ。
【請求項１２】
前記光拡散部材は、前記収納容器に装着された状態において、装着位置をガイドするガイド突出部を更に含むことを特徴とする請求項９記載のバックライトアセンブリ。
【請求項１３】
前記尾根の曲率半径は、０．５〜１ｍｍであることを特徴とする請求項１記載のバックライトアセンブリ。
【請求項１４】
前記尾根の曲率半径は、０．５〜１ｍｍであることを特徴とする請求項１記載のバックライトアセンブリ。
【請求項１５】
前記第１面上には、前記第１面を通過した光を再び拡散させる拡散ビード及び前記拡散ビードを固定させるバインダーで構成された拡散層が、形成されたことを特徴とする請求項１記載のバックライトアセンブリ。
【請求項１６】
前記距離は、前記光源の中心間の距離であることを特徴とする請求項１記載のバックライトアセンブリ。
【請求項１７】
前記間隔は、前記距離の０．２８６倍〜０．５１倍であることを特徴とする請求項１６記載のバックライトアセンブリ。
【請求項１８】
前記間隔は、７．０ｍｍ〜１２．５ｍｍであることを特徴とする請求項１６記載のバックライトアセンブリ。
【請求項１９】
前記距離は、３．７５ｍｍ〜４３．７ｍｍであることを特徴とする請求項１６記載のバックライトアセンブリ。
【請求項２０】
第１面、前記第１面と向い合う第２面、前記第２面上に形成され、少なくとも二つの尾根及び前記尾根と近接して形成された溝を有する光拡散部を含む光拡散部材と、
前記各尾根と向い合うように配置された光源と、
前記第２面と向い合い、前記光源から発生した光を前記第２面に向かって反射させる反射板と、
前記各光源の中心と前記反射板との間隔は、前記光源間の距離の０．１０倍〜０．２５倍であることを特徴とするバックライトアセンブリ。
【請求項２１】
前記距離は、前記光源の中心間の距離であることを特徴とする請求項２０記載のバックライトアセンブリ。
【請求項２２】
前記間隔は、前記距離の０．１３９倍〜０．２１２倍であることを特徴とする請求項２０記載のバックライトアセンブリ。
【請求項２３】
前記間隔は、３．１ｍｍ〜５．４ｍｍであることを特徴とする請求項２０記載のバックライトアセンブリ。
【請求項２４】
画像を表示する平板表示パネルと、
前記平板表示パネルに光を供給する請求項１ないし請求項９のいずれか一請求項によるバックライトアセンブリと、を含むことを特徴とする平板表示装置。
【請求項２５】
前記平板表示パネルは、液晶表示パネルであることを特徴とする請求項２４記載の平板表示装置。
【手続補正２】
【補正対象書類名】明細書
【補正対象項目名】００１２
【補正方法】削除
【補正の内容】
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】削除
【補正の内容】
【手続補正７】
【補正対象書類名】明細書
【補正対象項目名】００１７
【補正方法】削除
【補正の内容】
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２５
【補正方法】削除
【補正の内容】
【手続補正１４】
【補正対象書類名】明細書
【補正対象項目名】００２６
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】削除
【補正の内容】
【手続補正２３】
【補正対象書類名】明細書
【補正対象項目名】００３６
【補正方法】削除
【補正の内容】
【手続補正２４】
【補正対象書類名】明細書
【補正対象項目名】００３７
【補正方法】削除
【補正の内容】
【手続補正２５】
【補正対象書類名】明細書
【補正対象項目名】００３８
【補正方法】削除
【補正の内容】
【手続補正２６】
【補正対象書類名】明細書
【補正対象項目名】００３９
【補正方法】削除
【補正の内容】
【手続補正２７】
【補正対象書類名】明細書
【補正対象項目名】００４０
【補正方法】削除
【補正の内容】